(57)【要約】【課題】  反射光下で視認されていた画像が、透過光下で消失する印刷物において、消失効果の高い印刷物を提供する。【解決手段】  本発明は、透過性を有する基材に、反射光下で異なる濃度で視認され、透過光下で等色に視認される第一の領域と第二の領域から成る印刷画像を備えた印刷物において、第一の領域に、基材と異なる色の第１のインキによって形成された第１の画像要素が複数配置されて成る第一の画像を形成し、第二の領域に、第１のインキによって形成された第２の画像要素が、第一の画像要素の面積率より低く配置された第二の画像を形成し、更に第２の画像要素の上に、光遮断性の材料を含む第３のインキから成る第３の画像要素を積層することを特徴とする透過模様印刷物である。【選択図】図９
2019209495.tif 000002
【特許請求の範囲】
【請求項１】
透過性を有する基材に、反射光下で異なる濃度で視認され、透過光下で等色に視認される第一の領域と第二の領域から成る印刷画像を備えた透過模様印刷物であって、前記第一の領域に、前記基材と異なる色の第１のインキによって形成された第１の画像要素が複数配置された第一の画像が形成され、前記第二の領域に、前記基材と異なる色の第２の画像要素が複数配置された第二の画像が形成され、前記第二の画像は、ｉ）前記第１のインキによって形成された前記第２の画像要素が前記第１の画像要素の面積率より低く配置されて、前記第一の画像より淡い色であり、又はｉｉ）前記第１のインキと同じ色相で濃度が異なる第２Ａのインキによって形成された前記第２の画像要素が複数配置されて、前記第一の画像より淡い色であり、又はｉｉｉ）前記第１のインキと異なる色相の第２Ｂのインキによって形成された前記第２の画像要素が複数配置されて、前記第一の画像と異なる色であり、前記第二の領域の前記第２の画像要素の少なくとも一部に、光遮断性の材料を含む第３のインキによって形成された第３の画像要素が積層されることを特徴とする透過模様印刷物。
【請求項２】
前記ｉ）又は前記ｉｉ）の場合、前記第３の画像要素は、白色の前記第３のインキによって形成されたことを特徴とする請求項１記載の透過模様印刷物。
【請求項３】
前記ｉ）の場合、前記第一の画像は、更に前記基材及び前記第１のインキと異なる色相の第１Ａのインキによって形成された第１Ａの画像要素を複数有し、前記第二の画像は、更に前記第１Ａのインキによって形成され、前記第１Ａの画像要素の面積率より低く配置された第２Ａの画像要素を複数有し、前記第２Ａの画像要素の少なくとも一部に、白色の前記第３のインキによって形成された前記第３の画像要素が積層されたことで、前記第二の領域が反射光下で前記第一の領域と同じ色相で淡く、透過光下で前記第一の領域と等色に形成されたことを特徴とする請求項２記載の透過模様印刷物。
【請求項４】
前記ｉ）の場合、前記印刷画像は、更に第三の領域を有し、前記第三の領域は、前記第１のインキにより形成された第４の画像要素が、前記第２の画像要素の面積率より低く配置され、かつ、前記第二の領域と反射光下で等色に形成され、反射光下では、前記第二の領域と前記第三の領域が等色で、前記第一の領域と区分けして視認され、透過光下では、前記第一の領域と前記第二の領域が等色で、前記第三の領域が区分けして視認されることを特徴とする請求項２記載の透過模様印刷物。
【請求項５】
前記第一の画像は、更に前記基材及び前記第１のインキと異なる色相の第１Ａのインキによって形成された第１Ａの画像要素を複数有し、前記第二の画像は、更に前記第１Ａのインキによって形成され、前記第１Ａの画像要素の面積率より低く配置された第２Ａの画像要素を複数有し、前記第２Ａの画像要素の少なくとも一部に、白色の前記第３のインキによって形成された前記第３の画像要素が積層されたことで、前記第二の領域が反射光下で前記第一の領域と同じ色相で淡く、透過光下で前記第一の領域と等色に形成され、前記第三の領域は、更に前記第１Ａのインキによって形成された複数の第４Ａの画像要素が、前記第２Ａの画像要素の面積率より低く配置されて、反射光下で前記第二の領域と等色に形成されたことを特徴とする請求項４記載の透過模様印刷物。
【請求項６】
前記印刷画像が、前記第一の領域と前記第二の領域を備えた反射模様と、前記第二の領域と前記第三の領域を備えた透過模様から成り、前記反射模様は、少なくとも前記第一の領域によって構成された第１の情報部と、前記第二の領域によって構成された第１の背景部に区分けされ、かつ、前記第一の領域及び／又は前記第二の領域によって構成された前記反射模様を構成する領域が一定のピッチで配置され、前記透過模様は、少なくとも前記第三の領域によって構成された第２の情報部と、前記第二の領域によって構成された第２の背景部に区分けされ、かつ、前記第二の領域及び／又は前記第三の領域によって構成された前記透過模様を構成する領域が前記一定のピッチで配置され、前記反射模様を構成する領域と、前記透過模様を構成する領域は、交互に配置され、反射光下で観察すると、前記第一の領域によって構成された前記第１の情報部が視認され、透過光下で観察すると、前記第三の領域によって構成された前記第２の情報部が視認されることを特徴とする請求項４又は請求項５記載の透過模様印刷物。
【請求項７】
前記ｉｉｉ）の場合、前記第３の画像要素は、前記第１のインキ及び前記第２のインキと異なる色の前記第３のインキによって形成され、前記第二の領域が反射光下で前記第一の領域と同じ色相で淡く、透過光下で前記第一の領域と等色に形成されたことを特徴とする請求項１記載の透過模様印刷物。
【発明の詳細な説明】
【技術分野】
【０００１】
本発明は、偽造防止効果を必要とする貴重印刷物である銀行券、旅券、有価証券、身分証明書、カード、通行券等において、反射光下と透過光下にて視認できる画像が変化する透過模様印刷物に関するものである。
【背景技術】
【０００２】
近年のスキャナ、プリンター、カラー複写機といったデジタル機器の進展によって、貴重印刷物の精巧な複製物を容易に作製することができる。このデジタル機器による複製や偽造などを防止するため、プリンターや複写機では再現不可能な偽造防止技術が必要とされている。
【０００３】
今日、偽造防止技術の一つとして、用紙の粗密や薄厚により模様を形成し透過光下で視認させる、いわゆる「透かし技術」が存在する。この透かし技術は一定量以上の光量さえあれば、あらゆる環境下において真偽判別することが可能な技術である。加えて、知名度も抜群に高いことから、古くから存在する技術であるにも関わらず、今なお世界中の銀行券等に用いられている。
【０００４】
しかし、透かし技術は、用紙の製造段階にて形成する必要があり、用紙製造メーカでなければ容易には製造できない。また、製造コストも高いことから、これを擬似的に再現する方法として、印刷工程において特殊な浸透型インキを使用し、この透かしに相当する透過画像を印刷にて形成する偽造防止技術が存在する（例えば、特許文献１参照）。
【０００５】
また、印刷による透かし技術の一つとして、紙面上に、遮光インキを部分的に形成して透かし標章部を形成し、その上に書き込み情報が印字された透かし入り帳票用紙が開示されている（例えば、特許文献２参照）。この特許文献２の技術は、光を遮蔽する能力のある酸化チタンを透かし用インキとして用いており、透かしの経時変化を抑えるとともに、微細な透かしを形成するものである。
【０００６】
以上のような、浸透成分を有するインキや光遮断性のあるインキを用いて模様を形成し、反射光下では不可視であり、透過光下の観察で画像が視認できる技術が提案される中、本出願人は、透過光下で観察した時に新たな効果が生じる印刷物として、反射光下で視認されていた画像が透過光下で消失することで真偽判別可能な印刷物を提案している（例えば、特許文献３参照）。なお、特許文献３の印刷物は、金属顔料を含んだ光遮断性のある第一のインキにより形成された第一の領域と、第一のインキと同じ色相で濃い色の第二のインキにより形成された領域を濃淡差のある画像として形成することで、透過光下の観察では第一のインキの光遮断性により第一の領域が暗くなって第二の領域と等色に視認でき、反射光下で視認されていた画像が消失する効果を備えたものである。
【０００７】
また、本出願人は、反射光下で視認されていた画像が透過光下で消失する特許文献３の技術から、更に透過光下で観察すると、反射光下で視認される画像とは異なる画像が視認できる印刷物を提案している（例えば、特許文献４参照）。
【先行技術文献】
【特許文献】
【０００８】
【特許文献１】特開平６−２２８９００号公報
【特許文献２】特許第３４４４５３５号公報
【特許文献３】特許第６１２００８４号公報
【特許文献４】特開２０１６−２０３４６０号公報
【発明の概要】
【発明が解決しようとする課題】
【０００９】
しかしながら、特許文献３の印刷物は、反射光下で視認されていた画像が透過光下で消失することで真偽判別するものであるが、貴重印刷物に施す場合、更なる効果の向上が望まれており、反射光下で濃淡差のある二つの領域のコントラストを更に高くして、透過光下での消失効果を向上させるという課題があった。
【００１０】
また、特許文献４の印刷物においても反射光下と透過光下の観察で異なる画像が視認できるものであるが、識別や偽造を抑制する技術として活用するには、更なる効果の向上が望まれており、透過光下で視認される画像のコントラストを更に高くして、異なる画像を明確に視認させるという課題があった。
【００１１】
本発明は、前述した課題の解決を目的とするものであり、反射光下で視認されていた画像が透過光下で消失する印刷物において、消失効果の高い印刷物を提供するものである。さらに、透過光下で別の画像が視認できる印刷物であって、透過光下で視認される画像のコントラストが高い印刷物を提供するものである。
【課題を解決するための手段】
【００１２】
本発明の透過模様印刷物は、透過性を有する基材に、反射光下で異なる濃度で視認され、透過光下で等色に視認される第一の領域と第二の領域から成る印刷画像を備えた透過模様印刷物であって、第一の領域に、基材と異なる色の第１のインキによって形成された第１の画像要素が複数配置された第一の画像が形成され、第二の領域に、基材と異なる色の第２の画像要素が複数配置された第二の画像が形成され、第二の画像は、ｉ）第１のインキによって形成された第２の画像要素が、第１の画像要素の面積率より低く配置されて、第一の画像より淡い色であり、又はｉｉ）第１のインキと同じ色相で濃度が異なる第２Ａのインキによって形成された第２の画像要素が複数配置されて、第一の画像より淡い色であり、又はｉｉｉ）第１のインキと異なる色相の第２Ｂのインキによって形成された第２の画像要素が複数配置されて、第一の画像と異なる色であり、第二の領域の第２の画像要素の少なくとも一部に、光遮断性のある材料を含む第３のインキよって形成された第３の画像要素が積層されることを特徴とする。
【００１３】
また、本発明の透過模様印刷物は、ｉ）又はｉｉ）の場合、第３の画像要素は、白色の第３のインキによって形成されたことを特徴とする。
【００１４】
また、本発明の透過模様印刷物は、ｉ）の場合、第一の画像は、更に基材及び第１のインキと異なる色相の第１Ａのインキによって形成された第１Ａの画像要素を複数有し、第二の画像は、更に第１Ａのインキによって形成され、第１Ａの画像要素の面積率より低く配置された第２Ａの画像要素を複数有し、第２Ａの画像要素の少なくとも一部に、白色の第３のインキによって形成された第３の画像要素が積層されたことで、第二の領域が反射光下で第一の領域と同じ色相で淡く、透過光下で第一の領域と等色に形成されたことを特徴とする。
【００１５】
また、本発明の透過模様印刷物は、ｉ）の場合、印刷画像は、更に第三の領域を有し、第三の領域は、第１のインキにより形成された第４の画像要素が、第２の画像要素の面積率より低く配置され、かつ、第二の領域と反射光下で等色に形成され、反射光下では、第二の領域と第三の領域が等色で第一の領域と区分けして視認され、透過光下では、第一の領域と第二の領域が等色で、第三の領域が区分けして視認されることを特徴とする。
【００１６】
また、本発明の透過模様印刷物は、第一の画像は、更に基材及び第１のインキと異なる色相の第１Ａのインキによって形成された第１Ａの画像要素を複数有し、第二の画像は、更に第１Ａのインキによって形成され、第１Ａの画像要素の面積率より低く配置された第２Ａの画像要素を複数有し、第２Ａの画像要素の少なくとも一部に、白色の第３のインキによって形成された第３の画像要素が積層されたことで、第二の領域が、反射光下で第一の領域と同じ色相で淡く、透過光下で第一の領域と等色に形成され、第三の領域は、更に第１Ａのインキによって形成された複数の第４Ａの画像要素が、第２Ａの画像要素の面積率より低く配置されて、反射光下で第二の領域と等色に形成されたことを特徴とする。
【００１７】
また、本発明の透過模様印刷物は、印刷画像が、第一の領域と第二の領域を備えた反射模様と、第二の領域と第三の領域を備えた透過模様から成り、反射模様は、少なくとも第一の領域によって構成された第１の情報部と、第二の領域によって構成された第１の背景部に区分けされ、かつ、第一の領域及び／又は第二の領域によって構成された反射模様を構成する領域が、一定のピッチで配置され、透過模様は、少なくとも第三の領域によって構成された第２の情報部と、第二の領域によって構成された第２の背景部に区分けされ、かつ、第二の領域及び／又は第三の領域によって構成された透過模様を構成する領域が、一定のピッチで配置され、反射模様を構成する領域と、透過模様を構成する領域は、交互に配置され、反射光下で観察すると、第一の領域によって構成された第１の情報部が視認され、透過光下で観察すると、第三の領域によって構成された第２の情報部が視認されることを特徴とする。
【００１８】
また、本発明の透過模様印刷物は、ｉｉｉ）の場合、第３の画像要素は、第１のインキ及び第２のインキと異なる色の第３のインキによって形成され、第二の領域が、反射光下で第一の領域と同じ色相で淡く、透過光下で第一の領域と等色に形成されたことを特徴とする。
【発明の効果】
【００１９】
本発明の透過模様印刷物は、反射光下で濃淡差のある二つの領域のコントラストが高いことから視認性に優れるとともに、反射光下でコントラストが高い二つの領域が、透過光下で等色になり、濃淡が大きく変化することから、真偽判別性に優れる。
【００２０】
また、本発明の透過模様印刷物は、更に透過光下の観察で、反射光下の観察とは異なる画像が視認できる構成においても透過光下の観察で視認できる画像のコントラストが従来技術のものより高いことから、真偽判別性に優れる。
【図面の簡単な説明】
【００２１】
【図１】本発明の透過模様印刷物を示す概略図
【図２】第１の実施の形態における反射光下と透過光下の画像の概略図
【図３】第１の実施の形態における印刷画像を示す概略図
【図４】第一の領域の構成を示す概略図
【図５】第二の領域の構成を示す概略図
【図６】第二の領域における第二の画像の構成を示す概略図
【図７】第二の領域における第三の画像の構成を示す概略図
【図８】第２の画像要素と第３の画像要素の重なりを示す概略図
【図９】印刷画像の積層状態を示す概略図
【図１０】画線で構成された第１の画像要素を示す概略図
【図１１】画線で構成された第２の画像要素を示す概略図
【図１２】第一の領域と第二の領域を説明する概略図
【図１３】第２の実施の形態における反射光下と透過光下の画像の概略図
【図１４】第２の実施の形態における印刷画像を示す概略図
【図１５】第二の領域を示す図
【図１６】第三の領域を示す図
【図１７】第２の実施の形態における別の反射光下と透過光下の画像の概略図
【図１８】第２の実施の形態における別の印刷画像を示す図
【図１９】反射模様の構成を示す概略図
【図２０】透過模様の構成を示す概略図
【図２１】反射模様を構成する領域と透過模様を構成する領域を示す概略図
【図２２】反射模様と透過模様を反射光下で観察した画像の概略図
【図２３】反射模様と透過模様を透過光下で観察した画像の概略図
【図２４】反射模様と透過模様の領域を示す配置図
【図２５】反射模様と透過模様の領域を示す配置図
【図２６】反射模様と透過模様の構成を示す構成図
【図２７】反射模様と透過模様の別の構成を示す構成図
【図２８】第３の実施の形態における一つ目の構成を示す概略図
【図２９】第３の実施の形態における三つ目の第一の領域を示す概略図
【図３０】第３の実施の形態における三つ目の第二の画像を示す概略図
【図３１】第３の実施の形態における三つ目の第三の画像を示す概略図
【発明を実施するための形態】
【００２２】
本発明を実施するための形態について、図面を参照して説明する。しかしながら、本発明は、以下に述べる実施するための形態に限定されるものではなく、特許請求の範囲に記載される技術的思想の範囲内であれば、その他の様々な実施の形態が含まれる。
【００２３】
（第１の実施形態）
図１に、本発明の第１の実施の形態における透過模様印刷物（１）を示す。本発明の透過模様印刷物（１）は、基材（２）の上方に、基材（２）と異なる色を有する印刷画像（３）が形成されており、図１に示す印刷画像（３）は、「幾何模様」の中に「花の模様」が形成された例を示している。第１の実施の形態の透過模様印刷物（１）を、図２（ａ）に示すように、反射光下で観察すると、印刷画像（３）の「幾何模様」の中に「花の模様」が視認されるが、図２（ｂ）に示すように、透過光下で観察すると、「花の模様」が消失して「幾何模様」のみが視認される。以下、本発明の第１の実施の形態における透過模様印刷物（１）について説明する。
【００２４】
（基材）
本発明における透過模様印刷物（１）を構成する一つである基材（２）は、上質紙やコート紙、フィルムやプラスティックのように、光を透過する特性、いわゆる光透過性を有する必要がある。不透明なプラスティックや金属では透過光下での効果は得られない。
【００２５】
図３に、印刷画像（３）の構成を示す。印刷画像（３）は、図３に示すように、第一の領域（４）と第二の領域（５）の二つの領域を有する。本実施の形態において印刷画像（３）は、「幾何模様」中に「花の模様」を表現した構成であり、第一の領域（４）は、「幾何模様」に対応した領域（花の模様は含まない。）であり、第二の領域（５）は、「花の模様」に対応した領域である。印刷画像（３）は、基材（２）と異なる色彩を有していれば、透明以外のいかなる色彩であってもよい。
【００２６】
（第一の領域）
図４は、第一の領域（４）の構成を示す概略図である。第一の領域（４）は、図４の拡大図に示すように、第１のインキによる第１の画像要素（６）が所定のピッチで複数配置されることで、所定の面積率を有する第一の画像（８）が形成される。なお、本発明において「面積率」とは、基材（２）の一定の面積の中に配置される要素の面積の割合のことである。第１の画像要素（６）を形成するための第１のインキとしては、プロセスインキや特色インキ等の着色インキを用いればよい。なお、第１のインキは、後述する第二の領域の画像の形成に用いる光遮断性のある材料を含まない着色インキを用いる。
【００２７】
図４において、第１の画像要素（６）は、円形の画素で構成された例を示しているが、本発明において、第１の画像要素（６）は、画線の構成であってもよいし、画線と画素を組み合わせて構成してもよい。なお、本発明において、「画素」とは、印刷画像を形成する最小単位である印刷網点自体か、あるいは、印刷網点を複数集合させて形成した一塊の画像要素であって、円や三角形、四角形を含む多角形、星型等の各種図形、あるいは文字や記号、数字等も含まれる。一方、「画線」とは、印刷画像を形成する最小単位である印刷網点を特定の方向に連続して配置して形成した画像要素であって、点線や破線の分断線、直線、曲線、波線等が含まれる。後述する第２の画像要素（７）、第３の画像要素（１０）及び第４の画像要素（３２）についても同様である。なお、以降の説明では各要素が円形の画素で構成された例について説明する。
【００２８】
図４の例では、第１の画像要素（６）が円形の画素で構成された例であり、この場合、図４の拡大図に示すように、円形の画素で構成された第１の画像要素（６）が、第１Ａの方向（ＶＡ１）に第１Ａの画像要素のピッチ（Ｐ１ａ）、第１Ｂの方向（ＶＢ１）に第１Ｂの画像要素のピッチ（Ｐ１ｂ）にて複数配置される。なお、第１の画像要素（６）が配置される第１Ａの方向（ＶＡ１）と第１Ｂの方向（ＶＢ１）は、異なる方向であれば、図４に示す方向に限定されるものではない。
【００２９】
また、本発明の透過模様印刷物（１）において、第一の領域（４）に形成される第一の画像（８）は、第１の画像要素（６）が所定のピッチで複数配置されることで、一様な濃度として形成される。このため、画素、画線又はその組合せにて構成される第１の画像要素（６）自体の形状や色が、目視で認識できないように、各要素の大きさと、各要素が配置されるピッチは十分に細かくする必要がある。具体的な画素として構成される各要素の大きさは、第１の画像要素（６）の第１Ａの方向（ＶＡ１）への大きさをＷＡ１、第１Ｂの方向（ＶＢ１）への大きさをＷＢ１とすると、第１の画像要素（６）の大きさ（ＷＡ１、ＷＢ１）は、１０μｍから５００μｍまでの範囲にて形成する必要があり、特に第１Ａのピッチ（Ｐ１ａ）及び第１Ｂのピッチ（Ｐ１ｂ）は８０μｍから１，５００μｍまでの範囲が適しており、最適は１００μｍから１，０００μｍまでの範囲である。
【００３０】
（第二の領域）
第二の領域（５）は、図５（ａ）に示すように、第二の画像（９）と第三の画像（１１）にて構成されており、第二の画像（９）と第三の画像（１１）の積層関係は、図５（ｂ）に示すように、第二の画像（９）の上方に第三の画像（１１）が重なる構成である。以下、第二の画像（９）及び第三の画像（１１）の構成について説明する。
【００３１】
（第二の画像）
図６は、第二の画像（９）の構成を示す概略図である。第二の画像（９）は、図６の拡大図に示すように、第１の画像要素（６）を形成するインキと同じ第１のインキによる第２の画像要素（７）が、所定のピッチにて複数配置されることで、所定の面積率を有して、第二の領域（５）に形成される。図６の拡大図に示す第２の画像要素（７）は、円形の画素で構成された例を示しており、この場合、第２の画像要素（７）が、第２Ａの方向（ＶＡ２）に第２Ａのピッチ（Ｐ２ａ）、第２Ｂの方向（ＶＢ２）に第２Ｂのピッチ（Ｐ２ｂ）にて複数配置される。なお、第２の画像要素（７）が配置される第２Ａの方向（ＶＡ２）と第２Ｂの方向（ＶＢ２）は、異なる方向であれば、図６に示す方向に限定されるものではない。また、第２の画像要素（７）が配置される方向（ＶＡ２、ＶＢ２）は、第１の画像要素（６）が配置される方向（ＶＡ１、ＶＢ１）と同じ方向であってもよいし、異なる方向であってもよい。
【００３２】
第二の画像（９）においても、一様な濃度の画像を形成するため、第２の画像要素（７）の第２Ａの方向（ＶＡ２）への大きさをＷＡ２、第２Ｂの方向（ＶＢ２）への大きさをＷＢ２とすると、第２の画像要素（７）の大きさ（ＷＡ２、ＷＢ２）は、１０μｍから５００μｍまでの範囲にて形成する必要があり、特にピッチ（Ｐ２ａ、Ｐ２ｂ）は８０μｍから１，５００μｍまでの範囲が適しており、最適は１００μｍから１，０００μｍまでの範囲である。
【００３３】
第二の画像（９）の面積率は、第一の画像（８）の面積率より小さくしなければならない。この理由としては、後述する、白色であって光遮断性のあるインキによる第三の画像（１１）が積層されることで、透過光下で、第二の領域（５）の画像濃度が濃くなるため、下層の第二の画像（９）は、あらかじめ、第一の画像（８）より面積率を低く設計しておく必要があるからである。以降、画像濃度が濃くなることを明暗表現の「暗く」と称して説明するが、画像濃度を濃くすることと同じ意味である。
【００３４】
第二の画像（９）の面積率を第一の画像（８）の面積率より小さくするための具体的な例としては、第２の画像要素（７）の円形の画素の大きさを、第１の画像要素（６）より小さくし、第１の画像要素（６）と第２の画像要素（７）を同じピッチで配置する構成がある。この場合、前述した第２の画像要素（７）の大きさ（ＷＡ２、ＷＢ２）を第１の画像要素（６）の大きさ（ＷＡ１、ＷＢ１）より小さくすることで、第二の画像（９）の面積率を第一の画像（８）の面積率より小さくすることができる。また、別の例としては、第１の画像要素（６）と第２の画像要素（７）を同じ大きさの円形の画素とし、第２の画像要素（７）を配置するピッチ（Ｐ２ａ、Ｐ２ｂ）を第１の画像要素（６）を配置するピッチ（Ｐ１ａ、Ｐ１ｂ）より大きくする構成がある。以上の構成による第二の画像（９）は、第一の画像（８）より面積率が小さいことで、第一の画像（８）より淡い色の画像として形成される。
【００３５】
（第三の画像）
図７は、第三の画像（１１）の構成の一例を示す図である。第二の画像（９）の上に積層して形成する第三の画像（１１）は、図７の拡大図に示すように、白色であって、光遮断性のあるインキによる第３の画像要素（１０）が所定のピッチで複数配置されることで、所定の面積率を有して、第二の領域（５）に形成される。詳細には、第３の画像要素（１０）は、第２の画像要素（７）と同じピッチ（Ｐ２ａ、Ｐ２ｂ）で第２の画像要素（７）が配置される方向（ＶＡ２、ＶＢ２）に配置されることにより、第２の画像要素（７）の上方に重なって形成される。
【００３６】
なお、第３の画像要素（１０）の第２Ａの方向（ＶＡ２）への大きさをＷＡ３、第２Ｂの方向（ＶＢ２）への大きさをＷＢ３とすると、第３の画像要素（１０）の大きさ（ＷＡ３、ＷＢ３）は、第２の画像要素（７）の大きさ（ＷＡ２、ＷＢ２）と同じ大きさであってもよいし、異なる大きさであってもよいが、第三の画像（１１）もまた、一様な濃度の画像を形成するため、１０μｍから５００μｍまでの範囲にて形成する必要がある。また、第２の画像要素（７）と第３の画像要素（１０）が異なる大きさの場合、第３の画像要素（１０）は、第２の画像要素（７）より大きくてもよいし、小さくてもよい。ただし、後述する、第一の領域（４）と第二の領域（５）が透過光下で等色に形成されるように、第３の画像要素（１０）の大きさを調整する必要がある。
【００３７】
第３の画像要素（１０）を形成するインキは、光遮断性があるために、金属顔料を含むインキを用いる。また、第１の実施の形態において、第３の画像要素（１０）を形成する光遮断性のあるインキは白色である。なお、光遮断性のある白色のインキの例としては、酸化チタンの金属顔料を配合したインキがある。
【００３８】
（反射光下と透過光下での作用効果）
続いて、本発明の第一の領域（４）と第二の領域（５）による、反射光下と透過光下での作用効果について説明する。第１のインキの具体例として、黒色の着色インキを用い、第一の画像（８）を面積率４０％、第二の画像（９）を面積率３０％として形成すると、第二の画像（９）は、第一の画像（８）よりも面積率が低いことから、第一の画像（８）より淡い灰色の状態に形成される。続いて、白色で光遮断性のあるインキから成る第三の画像（１１）が、第二の画像（９）の上方に積層されると、反射光下で第二の領域（５）は、第二の画像（９）の淡い灰色と第三の画像（１１）の白色が混色した色として、より淡い灰色として視認され、反射光下での第一の領域（４）との濃淡差（コントラスト）が大きくなる。また、透過光下で第二の領域（５）は、光遮断性のあるインキで形成された第三の画像（１１）が光を遮断することで、淡い灰色の第二の画像（９）を暗くする作用が生じることで、第一の領域（４）と等色になり、「花の模様」が消失する効果が得られる。
【００３９】
本発明において、異なる面積率で形成される第一の画像（８）と第二の画像（９）を透過光下で等色に形成するための条件は、用いる第１のインキの色、第一の画像（８）と第二の画像（９）の面積率、第２の画像要素（７）と第３の画像要素（１０）同士が重なる面積の割合及び第３の画像要素（１０）を形成するインキの混色具合により異なるため、あらかじめ、等色になる条件を確認しておき、第一の領域（４）と第二の領域（５）の印刷条件として適用すればよい。
【００４０】
例えば、第一の画像（８）を面積率４５％、第二の画像（９）を面積率３５％で形成し、第三の画像（１１）を構成する第３の画像要素（１０）が、図８（ａ）に示す状態で形成した時に、第一の領域（４）と第二の領域（５）が透過光下で等色になる条件に対して、第一の画像（８）の面積率を小さくすると、透過光下で等色にするために第二の領域（５）の暗くする度合いを低くする必要がある。この場合、図８（ｂ）に示すように、第３の画像要素（１０）の面積率を小さくし、第二の領域（５）を暗くする度合いを低くすることで、第一の領域（４）と第二の領域（５）の透過光下での等色関係を構成することができる。また、図８（ａ）に示す第２の画像要素（７）と第３の画像要素（１０）の配置において、第３の画像要素（１０）を形成するインキの膜厚を減らして、第二の領域（５）を暗くする度合いを低くすることで、第一の領域（４）と第二の領域（５）の透過光下での等色関係を設計することもできる。また、透過光下で第二の領域（５）を暗くする度合いを低くするために、図８（ｂ）に示す構成において、第３の画像要素（１０）を形成するインキの膜厚を減らしてもよい。
【００４１】
一方、第一の画像（８）を面積率４５％、第二の画像（９）を面積率３５％で形成し、第三の画像（１１）を構成する第３の画像要素（１０）が、図８（ａ）に示す状態にて形成した場合、第一の領域（４）と第二の領域（５）が透過光下で等色になる条件に対して、第一の画像（８）の面積率を大きくすると、透過光下で等色にするために第二の領域（５）の暗くする度合いを高くする必要がある。この場合、図８（ａ）に示す第２の画像要素（７）と第３の画像要素（１０）の配置において、第３の画像要素（１０）を形成するインキの膜厚を増やして、第二の領域（５）を暗くする度合いを高くすることで、第一の領域（４）と第二の領域（５）の透過光下での等色関係を設計することができる。また、第２の画像要素（７）の面積率を大きくしてもよいし、それと同時に第３の画像要素（１０）の面積率を大きくしてもよい。
【００４２】
また、基材（２）の色が、第３の画像要素（１０）を形成する光遮断性のあるインキの色である白色で同じ場合、第二の領域（５）に第３の画像要素（１０）を隙間なく配置した、いわゆる、ベタ模様の構成としてもよい。これは、光遮断性のあるインキが基材（２）と同じ色であるため、第３の画像要素（１０）が反射光下での第二の領域（５）の色彩に影響することなく、透過光下で第二の領域（５）を暗くする作用しか生じないためである。また、基材（２）の色が白色とは異なり有色の場合でも、基材（２）の色と基材（２）に白色を印刷した部分の色との色差ΔＥが７以下の場合には、反射光下での基材（２）の色による印刷画像（３）の色への影響が少ないため、第三の画像（１１）をベタ模様としても、透過光下で第一の領域（４）と第二の領域（５）を等色に形成することができる。なお、基材（２）の色による印刷画像（３）の色への影響が少ない場合、図８（ｃ）及び図８（ｄ）に示すように、第２の画像要素（７）と第３の画像要素（１０）は、第２の画像要素（７）と第３の画像要素（１０）の一部又は全部が重なる配置でもよい。
【００４３】
（断面構造）
以上、記載のとおり形成した印刷画像（３）についての積層状態を図９に示す。第一の領域（４）には、第１の画像要素（６）による第一の画像（８）が基材（２）上に形成され、第二の領域（５）には、第２の画像要素（７）による第二の画像（９）の上方に積層して第３の画像要素（１０）による第三の画像（１１）が形成されている。なお、本発明において、各画像要素（６、７、１０）を形成する方法としては、オフセット印刷、フレキソ印刷、スクリーン印刷等の印刷機及び、インクジェットプリンタ、レーザプリンタを用いることができる。
【００４４】
（反射光下の観察）
図２（ａ）に示すように、上述の構成で形成された透過模様印刷物（１）へ反射光源（Ｌ１）を照射し、反射観察者（Ｅ１）が反射光下で観察すると、印刷画像（３）における第一の領域（４）と第二の領域（５）の濃淡差により「花の模様」が認識できる。
【００４５】
（透過光下の観察）
また、図２（ｂ）に示すように、透過観察者（Ｅ２）と透過光源（Ｌ２）の間に透過模様印刷物（１）を配置して透過光下で観察すると、第一の領域（４）と第二の領域（５）が等色に視認され、「花の模様」が消失する効果が得られる。これは、前述のとおり、第三の画像（１１）が光を遮断することで、反射光下では淡い第二の画像（９）を暗くする作用により、反射光下で濃い第一の画像（８）と等色に視認されるからである。なお、本発明でいう等色とは、観察者が注意を払わずに画像を一べつした場合に、同じ色彩であると感じられる程度に二つの色彩が近い状態を指すこととする。具体的には色差ΔＥが９以下の数値までを本発明上の等色と定義する。
【００４６】
本発明の第１の実施の形態の透過模様印刷物（１）は、面積率の差によって濃淡差がある第一の画像（８）と第二の画像（９）を設けることで、反射光下で二つの画像の濃淡差を得るとともに、第三の画像（１１）によって反射光下で第二の画像（９）をより淡くすることで、反射光下での二つの領域の濃淡差を大きくし、かつ、透過光下で二つの領域を等色にする効果により、透過光下で画像が消失する効果を向上させることができる。
【００４７】
（画像要素が画線で構成された例）
以上の説明では、第１の画像要素（６）、第２の画像要素（７）及び第３の画像要素（１０）が円形の画素で構成された例であるが、続いて、画線で構成された例について説明する。
【００４８】
図１０は、第１の画像要素（６）が画線で構成された例を示す図であり、この場合、図１０の拡大図に示すように、線幅（ＷＬ１）の第１の画像要素（６）が、第１Ａの方向（ＶＡ１）に第１Ａのピッチ（Ｐ１ａ）にて複数配置される。
【００４９】
図１１は、第２の画像要素（７）が画線で構成された例を示す図であり、この場合、図１１の拡大図に示すように、線幅（ＷＬ２）の第２の画像要素（７）が、第２Ａの方向（ＶＡ２）に第２Ａのピッチ（Ｐ２ａ）にて複数配置される。なお、第１の画像要素（６）と第２の画像要素（７）が配置される方向は、同じ方向であってもよいし、異なる方向であってもよい。
【００５０】
各画像要素が円形の画素で構成される場合と同様に、第二の画像（９）は、第一の画像（８）よりも面積率を低くするため、第２の画像要素（７）の線幅（ＷＬ２）を第１の画像要素（６）の線幅（ＷＬ１）より小さくし、同じピッチで配置するか、又は、第１の画像要素（６）と第２の画像要素（７）を同じ線幅とし、第２Ａのピッチ（Ｐ２ａ）を第１Ａのピッチ（Ｐ１ａ）より大きくして配置する。
【００５１】
第３の画像要素（１０）が画線で構成される場合は、図１１に示す第２の画像要素（７）の構成と同様であり、線幅（ＷＬ３）の第３の画像要素（１０）が、第２の画像要素（７）と同じ第２Ａの方向（ＶＡ２）に第２Ａのピッチ（Ｐ２ａ）にて複数配置される（図示せず）。また、第３の画像要素（１０）は、第２の画像要素（７）の上方に重なって形成される。
【００５２】
第１の画像要素（６）、第２の画像要素（７）及び第３の画像要素（１０）を画線で形成する場合においても、第一の領域（４）と第二の領域（５）のそれぞれが反射光下では一様な濃度として視認されるため、画線で構成される各要素自体の形状や色が目視で認識できないように各要素の大きさと各要素が配置されるピッチは十分に細かくする必要がある。具体的には、第１の画像要素（６）、第２の画像要素（７）及び第３の画像要素（８）の線幅（ＷＬ１、ＷＬ２、ＷＬ３）は、１０μｍから５００μｍまでの範囲にて形成する必要があり、第１Ａのピッチ及び第２Ａのピッチ（Ｐ１ａ、Ｐ２ａ）は８０μｍから１，５００μｍまでの範囲が適しており、最適は１００μｍから１，０００μｍまでの範囲である。なお、各要素が画素で構成される場合において説明したように、第一の領域（４）と第二の領域（５）を等色にするために、画線で構成される第一の画像（８）、第二の画像（９）及び第三の画像（１１）の面積率、第２の画像要素（７）と第３の画像要素（１０）同士が重なる面積の割合等を調整する必要がある。以上が、第１の画像要素（６）、第２の画像要素（７）及び第３の画像要素（１０）が画線で構成された例の説明である。
【００５３】
以上の説明では、第一の領域（４）を「幾何模様」、第二の領域（５）を「花の模様」で構成した例について説明したが、本発明において、第一の領域（４）と第二の領域（５）に形成する模様は、これに限定されるものではなく、図１２（ａ）に示すように、第一の領域（４）を星型とし、第二の領域（５）をその背景パターンとして構成してもよい。また、第一の領域（４）は、星型に限定されることなく、他の図形であってもよいし、文字、記号等であってもよい。また、図１２（ｂ）に示すように、第二の領域（５）を星型とし、第一の領域（４）をその背景パターンとして構成してもよい。
【００５４】
（第２の実施の形態）
第２の実施の形態の透過模様印刷物（１）は、印刷画像（３）が、更に第三の領域（３１）を備えた構成であり、反射光下と透過光下の観察で、異なる画像が視認できる透過模様印刷物（１）である。具体的には、図１３（ａ）に示すように、反射光下で観察すると、印刷画像（３）の「幾何模様」の中に「花の模様」が視認されるが、図１３（ｂ）に示すように、透過光下で観察すると「幾何模様」の中の「花の模様」が消失し、図５（ｂ）に示す「蝶の模様」に切り替って視認される。以下、本発明の第２の実施の形態の透過模様印刷物（１）について説明するが、第１の実施の形態と共通する部分の説明は省略し、異なる部分を説明する。
【００５５】
図１４に、印刷画像（３）の構成を示す。印刷画像（３）は、図１４に示すように、第一の領域（４）、第二の領域（５）及び第三の領域（３１）の三つの領域を有する。本実施の形態において、第一の領域（４）は、「幾何模様」に対応した領域（花の模様は含まない。）である。また、第二の領域（５）と第三の領域（３１）は、反射光下の観察で視認される「花の模様」に対応した領域であり、そのうち、第三の領域（３１）は、透過光下の観察で視認される「蝶」に対応した領域であり、第二の領域（５）は「花の模様」から「蝶」の領域を除いた領域である。
【００５６】
第２の実施の形態の第一の領域（４）は、第１の実施の形態と同様の構成であるため説明を省略する。また、第二の領域（５）は、図１５に示すように、第二の画像（９）と第三の画像（１１）で構成され、第二の画像（９）と第三の画像（１１）の積層関係は、図１５（ｂ）に示すように、第二の画像（９）の上方に光遮断性のある第三の画像（１１）が重なる構成であり、第１の実施の形態の第二の領域（５）と同様であるため、説明は省略する。第１の実施の形態と異なるのは、第三の領域（３１）であるので、以下に説明する。
【００５７】
（第三の領域）
図１６は、第三の領域（３１）の構成を示す図である。第三の領域（３１）は、図１６の拡大図に示すように、第１のインキによる第４の画像要素（３２）が所定のピッチで複数配置されることで、所定の面積率を有する第４の画像（３３）が形成される。なお、第三の領域（３１）は、反射光下の観察において、第二の領域（５）と同じ色彩で「花の模様」として視認されるため、第４の画像要素（３２）は、第２の画像要素（７）を形成する第１のインキを用いると等色関係を調整しやすい。
【００５８】
図１６の例では、第４の画像要素（３２）が円形の画素で構成された例であり、この場合、図１６の拡大図に示すように、円形の画素で構成された第４の画像要素（３２）が、第４Ａの方向（ＶＡ４）に第４Ａのピッチ（Ｐ４ａ）、第４Ｂの方向（ＶＢ４）に第４Ｂのピッチ（Ｐ４ｂ）にて複数配置される。なお、第４の画像要素（３２）が配置される第４Ａの方向（ＶＡ４）と第４Ｂの方向（ＶＢ４）は、異なる方向であれば、図１６に示す方向に限定されるものではない。
【００５９】
第２の実施の形態においても、第三の領域（３１）に形成される第４の画像（３３）は、第４の画像要素（３２）が所定のピッチで複数配置されることで、一様な濃度で形成する。このため、画素、画線又はその組合せで構成される第４の画像要素（３２）自体の形状や色が、目視で認識できないように、各要素の大きさと、各要素が配置されるピッチは十分に細かくする必要がある。具体的な画素で構成される各要素の大きさは、第４の画像要素（３２）の第４Ａの方向（ＶＡ４）への大きさをＷＡ４、第４Ｂの方向（ＶＢ４）への大きさをＷＢ４とすると、第４の画像要素（３２）の大きさ（ＷＡ４、ＷＢ４）は、１０μｍから５００μｍまでの範囲にて形成する必要があり、第４Ａのピッチ（Ｐ４ａ）及び第４Ｂのピッチ（Ｐ４ｂ）は８０μｍから１，５００μｍまでの範囲が適しており、最適は１００μｍから１，０００μｍまでの範囲である。
【００６０】
反射光下では、第三の領域（３１）は第二の領域（５）と等色に感じられるように面積率を設計しなければならない。第二の領域（５）は、前述のとおり、白色であって光遮断性のあるインキによる第３の画像要素（１０）が、第１のインキによって形成される第２の画像要素（７）の上方に重なって形成される。このため、反射光下では第２の画像（９）の濃度が、第３の画像（１１）によって淡くなって第二の領域（５）が形成される。よって、第三の領域（３１）の第４の画像（３３）の面積率は、第２の画像（９）の面積率より小さく設計する必要がある。
【００６１】
画線面積率を小さくする方法としては、第４の画像要素（３２）を配置するピッチ（Ｐ４ａ、Ｐ４ｂ）が、第２の画像要素（７）を配置するピッチ（Ｐ２ａ、Ｐ２ｂ）と同じ場合には、第４の画像要素（３２）の大きさ（ＷＡ４、ＷＢ４）を第２の画像要素（７）の大きさ（ＷＡ２、ＷＢ２）より小さくすればよい。また、第４の画像要素（３２）の大きさ（ＷＡ４、ＷＢ４）が第２の画像要素（７）の大きさ（ＷＡ２、ＷＢ２）と同じ場合には、第４の画像要素（３２）を配置するピッチ（Ｐ４ａ、Ｐ４ｂ）を第２の画像要素（７）を配置するピッチ（Ｐ２ａ、Ｐ２ｂ）より大きくすればよい。さらに、第４の画像要素（３２）の大きさ（ＷＡ４、ＷＢ４）を第２の画像要素（７）の大きさ（ＷＡ２、ＷＢ２）より小さく、第４の画像要素（３２）を配置するピッチ（Ｐ４ａ、Ｐ４ｂ）を第２の画像要素（７）を配置するピッチ（Ｐ２ａ、Ｐ２ｂ）より大きくしてもよい。
【００６２】
（反射光下の観察）
以上の構成で形成された透過模様印刷物（１）を、図１３（ａ）に示すように、反射光下で観察すると、印刷画像（３）における「幾何模様」に対応した第一の領域（４）と、「花の模様」に対応した第二の領域（５）及び第三の領域（３１）との濃淡差により「花の模様」が視認できる。
【００６３】
（透過光下の観察）
また、図１３（ｂ）に示すように、透過観察者（Ｅ２）と透過光源（Ｌ２）の間に透過模様印刷物（１）を配置して透過光下で観察すると、第一の領域（４）と第二の領域（５）が等色に視認されることで「花の模様」が消失するだけでなく、第三の領域（３１）の「蝶の模様」が淡く視認される。これは、前述のとおり、第三の画像（１１）が光を遮断することで、反射光下では淡い第二の画像（９）を暗くする作用により、反射光下で濃い第一の画像（８）と同じ色として視認され、反射光下ではもともと淡い第三の領域（３１）の第四の画像（３３）が、そのまま透過光下でも淡く視認されるからである。
【００６４】
本発明の第２の実施の形態の透過模様印刷物（１）は、面積率の差によって濃淡差がある第一の画像（８）と第二の画像（９）と第四の画像（３３）とを設けることで、反射光下で第一の領域（４）と第二の領域（５）の二つの画像の濃淡差を得るとともに、第三の画像（１１）によって反射光下で第二の画像（９）をより淡くすることで、反射光下での第一の領域（４）と第二の領域（５）の二つの領域の濃淡差を大きくできる効果を有する。また、透過光下で第一の領域（４）と第二の領域（５）の二つの領域を等色にする効果により、透過光下で画像の一部が消失する効果を生じ、さらに、第三の領域（３１）との濃淡差を生じさせ、第四の画像（３３）を視認することができる。つまり、反射光下と透過光下の観察で、異なる画像を視認することが可能になる。
【００６５】
以上に説明した第２の実施の形態の透過模様印刷物（１）は、第二の領域（５）と第三の領域（３１）によって、反射光下で視認される「花の模様」を構成しており、この場合、透過光下で視認される第三の領域（３１）から成る「蝶の模様」は、「花の模様」の中から出現されることとなるが、続いて、第２の実施の形態の変形例として「花の模様」と「蝶の模様」の配置に限定がない構成を説明する。
【００６６】
第２の実施の形態の変形例の透過模様印刷物（１）を、図１７（ａ）に示すように、反射光下で観察すると、印刷画像（３）の中に「花の模様」が視認され、図１７（ｂ）に示すように、透過光下で観察すると、印刷画像（３）の中の「花の模様」が消失し、「蝶の模様」に切り替って観察されるが、図１７に示すように「花の模様」と「蝶の模様」は、印刷画像（３）の全体にわたって異なる領域で視認できる。以下、第２の実施の形態の変形例の透過模様印刷物（１）の構成について説明する。
【００６７】
図１８は、第２の実施の形態の変形例の透過模様印刷物（１）の印刷画像（３）の構成を示す図であり、印刷画像（３）は、反射光下で視認される「花の模様」が形成された領域を備える反射模様（４０）と、透過光下で視認される「蝶の模様」が形成された領域を備える透過模様（５０）から成る。
【００６８】
反射模様（４０）は、図１９に示すように、「花の模様」に対応した第１の情報部（４１）と、「花の模様」の背景に対応した第１の背景部（４２）から成り、第１の情報部（４１）は、第一の領域（４）によって構成され、第１の背景部（４２）は、第二の領域（５）によって構成される。図１９の拡大図は、反射模様（４０）の構成を拡大して示す図であり、反射模様（４０）が所定の幅（Ｗｊ）で帯状に分割した領域（ｊ）が所定の間隔（Ｐｊ）で複数配置された構成となっている。また、図１９の拡大図に示すように「花の模様」に応じた第一の領域（４）が配置され、「花の模様」の背景に応じた第二の領域（５）が配置された状態となっている。なお、実際の透過模様印刷物（１）では、第一の領域（４）に第１の画像要素（６）が形成され、第二の領域（５）に、第２の画像要素（７）と第３の画像要素（１０）が形成されているが、ここでは、説明の便宜上、省略して示している。
【００６９】
透過模様（５０）は、図２０に示すように「蝶の模様」に対応した第２の情報部（５１）と、「蝶の模様」の背景に対応した第２の背景部（５２）から成り、第２の情報部（５１）は、第三の領域（３１）によって構成され、第２の背景部（５２）は、第二の領域（５）によって構成される。図２０の拡大図は、透過模様（５０）の構成を拡大して示す図であり、透過模様（５０）が、所定の幅（Ｗｋ）で分割された領域（ｋ）が所定の間隔（Ｐｋ）にて複数配置された構成となっている。また、図２０の拡大図に示すように「蝶の模様」に応じた第三の領域（３１）が配置され、「蝶の模様の背景」に応じた第二の領域（５）が配置された状態となっている。実際の透過模様印刷物（１）では、第三の領域（３１）に第３の画像要素（３２）が形成され、第二の領域（５）に第２の画像要素（７）と第３の画像要素（１０）が形成されているが、ここでは、説明の便宜上、省略して示している。
【００７０】
図２１は、図１９に示す反射模様（４０）と図２０に示す透過模様（５０）を構成する各領域（ｊ、ｋ）を合わせた状態を示す図であり、第２の実施の形態の変形例の透過模様印刷物（１）においては、反射模様（４０）を構成する領域（ｊ）と透過模様（５０）を構成する領域（ｋ）が交互に配置された状態となっている。
【００７１】
反射模様（４０）を構成する領域（ｊ）の幅（Ｗｊ）は、第１の画像要素（６）と第２の画像要素（７）をそれぞれ配置するために、少なくとも、第１の画像要素（６）と第２の画像要素（７）の大きさ以上とする必要があり、上限については特に限定がないが、銀行券、旅券のような貴重印刷物に形成する反射模様（４０）の解像度を考慮すると１，０００μｍ以下とすることが好ましい。また、透過模様（５０）を構成する領域（ｋ）の幅（Ｗｋ）は、第２の画像要素（７）と第４の画像要素（３２）をそれぞれ配置するために、少なくとも第２の画像要素（７）と第４の画像要素（３２）の大きさ以上とする必要があり、上限については特に限定がないが、銀行券、旅券のような貴重印刷物に形成する透過模様（５０）の解像度を考慮すると１,０００μｍ以下とすることが好ましい。
【００７２】
反射模様（４０）を構成する領域（ｊ）のピッチ（Ｐｊ）と透過模様（５０）を構成する領域（ｋ）のピッチ（Ｐｋ）は、反射模様（４０）を構成する領域（ｊ）と透過模様（５０）を構成する領域（ｋ）を交互に配置できれば特に限定はない。ただし、反射模様（４０）を構成する領域（ｊ）と透過模様（５０）を構成する領域（ｋ）を隙間なく交互に配置して、反射模様（４０）と透過模様（５０）の解像度を良好にするため、反射模様（４０）を構成する領域（ｊ）の幅（Ｗｊ）と透過模様（５０）を構成する領域（ｋ）の幅（Ｗｋ）の和とすることが好ましい。
【００７３】
（効果）
続いて、以上説明した第２の実施の形態の変形例の透過模様印刷物（１）の効果について説明するが、分かりやすく説明するため、反射模様（４０）と透過模様（５０）それぞれの効果について説明する。
【００７４】
図２２（ａ）は、反射光下で観察した場合に視認される反射模様（４０）の状態を示す図であり、この場合、第一の領域（４）と第二の領域（５）の濃淡差により、第一の領域（４）が濃い色として「花の模様」が視認される。一方、透過模様（５０）は、反射光下の観察では、第二の領域（５）と第三の領域（３１）が等色に形成されていることから、図２２（ｂ）に示すように、一様な濃度として視認される。このように、反射模様（４０）と透過模様（５０）が視認されることにより、反射光下の観察では、詳細には、図２２（ａ）に示す反射模様（４０）と図２２（ｂ）に示す透過模様（５０）が合わさることになるが、第一の領域（４）によって構成された「花の模様」が、第二の領域（５）及び第三の領域（３１）との濃淡差により視認できる。
【００７５】
図２３（ａ）は、透過光下で観察した際に視認される反射模様（４０）の状態を示す図であり、この場合、第二の領域（５）が第３の画像（１１）によって光が遮断されて、第一の領域（４）と等色になることで、一様な濃度として視認される。一方、透過模様（５０）は、第二の領域（５）が暗くなることで、第三の領域（３１）によって構成された「蝶の模様」が、第二の領域（５）より淡く視認できる。このように、反射模様（４０）と透過模様（５０）が視認されることにより、透過光下の観察では、詳細には、図２３（ａ）に示す反射模様（４０）と図２３（ｂ）に示す透過模様（５０）が合わさることになるが、第三の領域（３１）によって構成された「蝶の模様」が、第一の領域（４）及び第二の領域（５）との濃淡差により視認できる。
【００７６】
第２の実施の形態の変形例において、反射模様（４０）を構成する領域（ｊ）と透過模様（５０）を構成する領域（ｋ）が、図２１に示すように、帯状に交互に配置された例について説明したが、図２４（ａ）に示すように、波線状に交互に配置されてもよいし、図２４（ｂ）に示すように、ノコギリ状に交互に配置されてもよい。また、反射模様（４０）を構成する領域（ｊ）と透過模様（５０）を構成する領域（ｋ）は、図２５（ａ）に示すように、四角形の領域を市松状に交互に配置してもよいし、図２５（ｂ）に示すように円形の領域を交互に配置してもよい。また、反射模様（４０）を構成する領域（ｊ）と透過模様（５０）を構成する領域（ｋ）は、交互に配置されていれば、大きさが異なってもよい。
【００７７】
図２６は、図２５（ｂ）に示す反射模様（４０）を構成する領域（ｊ）において、具体的な第一の領域（４）と第二の領域（５）の配置の一例を示す図であり、図２６において、右側半分の領域（ｊ）が、第一の領域（４）によって構成され、左側半分の領域（ｊ）が、第二の領域（５）によって構成された状態を示している。また、右側半分の領域（ｊ）と左側半分の領域（ｊ）は、同じ大きさで配置された状態を示している。この場合、右側半分の領域（ｊ）によって、第一の情報部（４１）が構成され、左側半分の領域（ｊ）によって、第一の背景部（４２）が構成される。また、第一の情報部（４１）は、同じ大きさの第一の領域（４）が配置されていることから、反射光下で一様な濃度で視認され、第一の背景部（４２）もまた、同じ大きさの第二の領域（５）が配置されていることから、第一の情報部より淡く、反射光下で一様な濃度で視認される。
【００７８】
図２７（ａ）は、図２６に示す構成に対して、第一の情報部（４１）を構成する右側半分の領域（ｊ）に形成する第一の領域（４）の大きさを異ならせることで、部分的に濃淡差を設けた反射模様（４０）の構成を示す図であり、図２７（ａ）の上側の領域（ｊ）から下側の領域（ｊ）に向かって、第一の領域（４）を徐々に小さくして形成した状態を示している。この場合、図２７（ａ）に示す上側の領域は、第一の領域（４）が大きいことから、反射光下で濃く視認され、図２７（ａ）に示す下側の領域は、第一の領域（４）が小さいことから、反射光下で淡く視認され、第一の領域（４）の大きさの差により、反射模様（４０）の濃淡の階調を表現することができる。なお、透過光下の観察で、反射模様（４０）が透過模様（５０）に影響しないため、すなわち、図２３（ａ）に示すように、反射模様（４０）が一様な濃度となって視認されるため、反射模様（４０）を構成する領域（ｊ）の大きさを全て同じ構成とし、図２７（ａ）に示す第一の領域（４）が小さい領域（ｊ）には、領域（ｊ）の中の第一の領域（４）以外の部分を第二の領域（５）で形成する。
【００７９】
透過模様（５０）も同様にして、図２７（ｂ）に示すように、第三の領域（３１）の大きさを部分的に異ならせることで、透過模様（５０）に階調（濃淡）を設けることができ、この場合、反射光下の観察で、透過模様（５０）が反射模様（４０）に影響しない、すなわち、図２２（ｂ）に示すように、透過模様（５０）が一様な濃度となって視認されるため、透過模様（５０）を構成する領域（ｋ）の大きさを全て同じ構成とし、図２７（ｂ）に示す第三の領域（３１）が小さい領域（ｋ）には、領域（ｋ）の中の第三の領域（３１）以外の部分を第二の領域（５）で形成する。
【００８０】
以上に説明した、第２の実施の形態の透過模様印刷物（１）は、印刷画像（３）に形成する「花の模様」と「蝶の模様」の配置に限定がなく、反射光下と透過光下の観察で明瞭に画像が変化する効果が得られる。
【００８１】
（第３の実施の形態）
第１の実施の形態から第２の実施の形態の透過模様印刷物（１）は、第１の画像（８）と第２の画像（９）を、同じ第１のインキにより形成した構成について説明したが、第３の実施の形態は、第１の画像（８）と第２の画像（９）を複数の色のインキで形成する形態である。具体的には、第２の画像要素（７）を、第１の画像要素（６）を形成する第１のインキと異なる色の第２のインキ、詳細には、第１のインキと同じ色相であり、かつ、濃度が異なるインキ（以降「第２Ａのインキ」という。）又は第１のインキと色相が異なるインキ（以下「第２Ｂのインキ」という。）を用いる構成と、第１の画像（８）と第２の画像（９）を複数の色のインキを用いて形成する構成があり、それぞれの構成について順に説明する。なお、第３の実施の形態の構成を簡易に説明するため、第１の実施の形態の構成を基に説明する。
【００８２】
はじめに、第２の画像要素（７）を、第１のインキと同じ色相であり、かつ、濃度が異なる第２Ａのインキによって形成する構成について説明する。また、第３の実施の形態の一つ目の構成について判り易く説明するため、第１のインキとして濃い青色のインキを用い、第２Ａのインキとして淡い青色のインキを用いた例について説明する。なお、第３の実施の形態において、第１のインキと第２Ａのインキの色相は、青色に限定されるものではなく、赤、黄、緑、紫等であってもよい。
【００８３】
第３の実施の形態の一つ目の構成において、例えば、図２８（ａ）に示すように、濃い青色のインキを第１のインキとして用いて第１の画像要素（６）を所定の面積率で形成し、淡い青色のインキを第２Ａのインキとして用いて第２の画像要素（７）を第１の画像要素（６）より低い面積率で形成すると、インキの濃度差と、画像要素の面積率の差により、第二の画像（９）は、第一の画像（８）よりも淡い画像として形成される。第二の画像（９）の上に形成する第三の画像（１１）の構成は、前述のとおりであり、淡い青色の第二の画像（９）の上に、白色であって、光遮断性のあるインキを用いて、第三の画像（１１）を形成することにより、第二の画像（９）がより淡くなり、反射光下で第一の画像（８）との濃淡差により「花の模様」が視認され、透過光下では第三の画像（１１）が光を遮断することで、濃い第１の画像（８）と等色になり「花の模様」が消失する効果が得られる。
【００８４】
第３の実施の形態の一つ目の構成において、図２８に示す構成について説明したが、第二の画像（９）が第一の画像（８）より淡い濃度として形成される範囲であれば、第２の画像要素（７）の面積率は、第１の画像要素（６）の面積率と同じでもよい。これは、前述した第３の実施の形態の一つ目の構成の例では、第１のインキよりも第２Ａのインキが淡いことから、第２の画像要素（７）を第１の画像要素（６）と同じ面積率で形成しても、第一の画像（８）より淡い第二の画像（９）を形成することができるからである。また、第二の画像（９）が第一の画像（８）より淡い濃度として形成される範囲であれば、第２の画像要素（７）の面積率は、第１の画像要素（６）の面積率より高くてもよい。また、第二の画像（９）が第一の画像（８）より淡い濃度として形成される範囲であれば、淡い青色のインキを第１のインキとして用いて第１の画像要素（６）を形成し、濃い青色のインキを第２Ａのインキとして用いて第２の画像要素（７）を形成してもよい。なお、第一の領域（４）と第二の領域（５）を透過光下で等色に形成するために、第一の画像（８）と第二の画像（９）の面積率、第２の画像要素（７）と第３の画像要素（１０）同士が重なる面積の割合等は、前述のように適宜設定すればよい。
【００８５】
続いて、第３の実施の形態の二つ目の構成として、第１のインキと色相が異なる第２Ｂのインキを用いる構成について説明する。なお、第３の実施の形態の二つ目の構成について分かりやすく説明するため、第１のインキとして緑色のインキを用い、第２Ｂのインキとして黄色のインキを用いた例について説明する。
【００８６】
第３の実施の形態の二つ目の構成において、緑色の第１のインキによって第１の画像要素（６）を形成すると、第一の画像（８）は、第１のインキによる緑色が一様な濃度で視認され、黄色の第２Ｂのインキによって第２の画像要素（７）を形成すると、第二の画像（７）は、第２Ｂのインキによる黄色が一様な濃度で視認される。第３の実施の形態の二つ目の構成においても、第一の領域（４）と第二の領域（５）が、反射光下では同じ色相で、第二の領域（５）が第一の領域（４）よりも淡く視認され、透過光視下で等色に視認されるため、以下の構成とする。
【００８７】
まず、反射光下で第一の領域（４）と第二の領域（５）を同じ色相とするため、第三の画像（１１）を形成する光遮断性のあるインキには、第二の画像（９）の上に、第三の画像（１１）が重なることにより混色した色が、同じ色相になるインキを用いる。この場合、青色の色相の光遮断性のあるインキを用いることで、第二の領域（５）は、青色と黄色の色相が混色した緑色となり、反射光下で第一の領域（４）と同じ色相にすることができる。なお、青色の光遮断性のあるインキは、前述した酸化チタンと、青色の着色顔料や着色染料を混合することで作製できる。
【００８８】
また、反射光下で第二の領域（５）が第一の領域（４）よりも淡くするため、第二の画像（９）の上に、第三の画像（１１）が重なることにより混色した色が、第一の画像（８）より淡い構成とする。前述のように酸化チタンが白いため、青色の着色顔料と混合すると、淡い青色の光遮断性のあるインキが作製され、淡い青色の第三の画像（１１）を黄色の第二の画像（９）の上に形成することで、第一の領域（４）と濃淡差のある淡い緑色の第二の領域（５）を形成することができる。なお、透過光下で、第一の領域（４）と第二の領域（５）を等色に形成するために、第一の画像（８）と第二の画像（９）の面積率、第２の画像要素（７）と第３の画像要素（８）同士が重なる面積の割合等は前述のように適宜設定すればよい。
【００８９】
ここでは、第１のインキを緑色、第２Ｂのインキを黄色、光遮断性のあるインキを青色のインキの例で説明したが、第２Ｂのインキによる第二の画像（９）と光遮断性のあるインキによる第三の画像（１１）の混色による第二の領域（５）の色が、透過光下で第一の領域（４）の色と等色になれば、第１のインキ、第２Ｂのインキ及び光遮断性のあるインキの色は、これに限定されるものではない。
【００９０】
続いて、第３の実施の形態の三つ目の構成として、第一の画像（８）及び第二の画像（９）を色相の異なる複数色のインキを用いた複数の画像要素によって形成する形態について説明する。以下の説明においては、画像要素が円形の画素で構成される例について説明するが、前述のとおり画像要素に限定はなく画線でもよい。
【００９１】
（第一の領域）
第一の領域（４）は、図２９に示すように、第１のインキによる第１の画像要素（６）と、第１のインキとは異なる色相の第１Ａのインキによる第１Ａの画像要素（６’）が、所定のピッチで複数配置されることで、所定の面積率を有する第一の画像（８）が形成される。第１のインキ及び第１Ａのインキとしては、前述のとおり、プロセスインキや特色インキ等の通常の着色インキを用いればよく、前述した光遮断性のある金属顔料は含まない着色インキを用いる。例として、第１のインキに紅インキ、第１Ａのインキに藍インキを使用した場合には、紅インキと藍インキが混色した紫色として第一の領域（４）が形成される。
【００９２】
図２９においては、第１の画像要素（６）と第１Ａの画像要素（６’）とが互いに重ならない配置となっているが、第１のインキと第１Ａのインキが混色して、観察者が一様な色と感じられる構成であれば、第１の画像要素（６）と第１Ａの画像要素（６’）の配置に特に制約はなく各要素同士が重なっていてもよい。また、プロセス印刷における網点角度が色ごとに異なるような配置を用いてもよい。
【００９３】
（第二の画像）
第二の領域（５）は、図３０に示すように、第一の画像（８）を形成するインキと同じ第１のインキによる第２の画像要素（７）と、第１Ａのインキによる第２Ａの画像要素（７’）とが所定のピッチで複数配置されることで、所定の面積率を有する第二の画像（９）が形成される。図３０においても、第２の画像要素（７）と第２Ａの画像要素（７’）とが互いに重ならない配置となっているが、第１のインキと第１Ａのインキが混色して、観察者が一様な色と感じられる構成であれば、第２の画像要素（７）と第２Ａの画像要素（７’）の配置に特に制約はなく各要素同士が重なっていてもよい。また、プロセス印刷における網点角度が色ごとに異なるような配置を用いてもよい。
【００９４】
第３の実施の形態において、第二の画像（９）の面積率は、第一の画像（８）の面積率より低くする必要があり、詳細には、第１のインキによる第２の画像要素（７）は、第１のインキによる第１の画像要素（６）よりも面積率が低く、かつ、第１Ａのインキによる第２Ａの画像要素（７’）は、第１Ａのインキによる第１Ａの画像要素（６’）よりも面積率が低い構成で形成される。この構成により、第二の画像（９）は、第１のインキの色と第１Ａのインキの色が混色した色が、第一の画像（８）よりも淡い色で視認できる構成となる。
【００９５】
（第三の画像）
第三の画像（１１）は前述のように、白色であり光遮断性のあるインキによる第３の画像要素（１０）が所定のピッチで複数配置される構成であり、第３の実施の形態において第３の画像要素（１０）は、詳細には、第二の画像（９）を構成する第２の画像要素（７）と第２Ａの画像要素（７’）に対応して重なる構成である。図３１は、図３０に示す第２の画像要素（７）と第２Ａの画像要素（７’）に対応して重なる第３の画像要素の構成を示す図であり、図３１の拡大図では、第２の画像要素（７）に対応して重なる第３の画像要素を符号「１０」で示し、第２Ａの画像要素（７’）に対応して重なる第３Ａの画像要素を符号「１０’」で示している。
【００９６】
第３の実施の形態においては、第１の実施の形態に対して、印刷画像（３）を形成する色の数が増えた分だけ、第一の領域（４）と第二の領域（５）が等色を満たすための調整をする必要がある。具体的には、第１の実施の形態において、第１のインキにより異なる面積率で形成された第１の画像要素（６）と第２の画像要素（７）を透過光下で等色に形成する原理と同様にすればよく、第３の実施の形態では、第１のインキにより異なる面積率で形成される第１の画像要素（６）と第２の画像要素（７）において、第３の画像要素（１０）が重なることで等色とし、かつ、第１Ａのインキにより異なる面積率で形成される第１Ａの画像要素（６’）と第２Ａの画像要素（７’）においても、第３の画像要素（１０’）が重なることで等色とする。
【００９７】
以上の構成で形成された第３の実施の形態の三つ目の構成の透過模様印刷物（１）は、反射光下で観察した状態において、印刷画像（３）が第１のインキの色と第１Ａのインキの色が混色して視認される効果があり、第１の実施の形態と比べて、第一の画像（８）と第二の画像（９）を、異なる色相のインキを用いて印刷画像（３）を形成することから、印刷画像（３）が表現できる色の自由度が広い構成となる。
【００９８】
第３の実施の形態においても、第三の画像（１１）を形成する光遮断性のあるインキの色と、基材（２）の色が同じ色の場合には、第三の画像（１１）をベタ模様の構成としてもよい。具体例としては、前述した第３の実施の形態の二つ目の構成のように、第三の画像（１１）を形成する光遮断性のあるインキが青色であり、基材（２）が同じ青色の場合、ベタ模様として基材（２）の上に形成された第三の画像（１１）と基材（２）は、同じ色として視認されることから、反射光下での第二の領域（５）の色彩に影響することなく、透過光下で第二の領域（５）を暗くする作用しか生じないため、第三の画像（１１）をベタ模様の構成としてもよい。
【００９９】
以上の説明では、第３の実施の形態の構成を簡易に説明するため、第１の実施の形態の構成を基に説明したが、第２の実施の形態で説明した第三の領域（３１）についても同様にして、複数の色のインキを用いて形成してもよく、その詳細は実施例にて説明する。
【実施例】
【０１００】
以下、前述の発明を実施するための形態にしたがって、具体的に作製した透過模様印刷物の実施例について詳細に説明するが、本発明はこの実施例に限定されるものではない。
【０１０１】
（実施例１）
実施例１は、第１の実施の形態の構成で成る透過模様印刷物（１）であり、具体的には、  図１から図７までに示す構成の透過模様印刷物（１）を作製した。基材（２）には、白色のカラーコピー用上質紙（坪量７９ｇ／ｍ２、白色度９０％、紙厚９５μｍ）を用い、印刷画像（３）は、ＰＣ用のグラフィック用ソフトウェアを用いて、以下に説明する画像データを作成し、レーザープリンタにより色材を付与した。
【０１０２】
第１の画像要素（６）は、図４に示すような円形の画素で、設計値を大きさＷＡ１＝ＷＢ１＝１１０μｍ、ピッチＰ１ａ＝Ｐ１ｂ＝１２７μｍ（２００線、画線面積率約６０％）、第１のインキとしてブラックを用いて形成した。
【０１０３】
第２の画像要素（７）は、図６に示すような円形の画素で、設計値を大きさＷＡ２＝ＷＢ２＝１０５μｍ、ピッチＰ２ａ＝Ｐ２ｂ＝１２７μｍ（２００線、画線面積率約５５％）、第１のインキ（ブラック）を用いて形成した。
【０１０４】
第３の画像要素（１０）は、図７に示すような円形の画素で、設計値を大きさＷＡ３＝ＷＢ３＝１１０μｍ、ピッチＰ２ａ＝Ｐ２ｂ＝１２７μｍ（２００線、画線面積率約６０％）で、酸化チタンを含む白色インキを用いて第２の画像要素（７）の上に形成した。
【０１０５】
以上のように作製した透過模様印刷物（１）を図２（ａ）に示す反射光下で観察すると、第二の領域（５）が第一の領域（４）より淡く視認されて花の模様が観察でき、図２（ｂ）のように透過光下で観察すると、等色に視認されて花の模様が消失し一様な灰色の幾何模様として観察できた。
【０１０６】
（実施例２）
実施例２は、第２の実施の形態の構成で成る透過模様印刷物（１）であり、具体的には、図１３から図１６までに示す構成の透過模様印刷物（１）を実施例１と同様の方法、材料を用いて作製した。
【０１０７】
実施例２は、図１４に示すとおり、印刷画像（３）が第一の領域（４）及び第二の領域（５）に加え、蝶の模様を形成した第三の領域（３１）を備える構成である。本実施例においては、第一の領域（４）は実施例１と同様に形成し、第二の領域（５）についても図１５に示すとおり領域の形状が異なるが、第２の画像要素（７）及び第３の画像要素（１０）は実施例１と同様に形成した。なお、実施例１と同様の部分は説明を省略する。
【０１０８】
反射光下で、第三の領域（３１）と第二の領域（５）を等色に形成するため、第４の画像要素（３２）は、酸化チタンを含む白色インキが重なる第２の画像要素（７）の面積率よりも低く形成する必要がある。そのため、蝶の模様を形成した第三の領域（３１）の第４の画像要素（３２）は、図１６に示すような円形の画素で、設計値を大きさＷＡ４＝ＷＢ４＝９０μｍ、ピッチＰ４ａ＝Ｐ４ｂ＝１２７μｍ（２００線、画線面積率約４０％）、第１のインキ（ブラック）を用いて形成した。
【０１０９】
以上のように作製した透過模様印刷物（１）を図１３（ａ）に示す反射光下で観察すると、第二の領域（５）と第三の領域（３１）が等色、かつ、第一の領域（４）より淡く視認されて印刷画像（３）の「幾何模様」中に「花の模様」が観察された。更に図１３（ｂ）に示すように、透過光下で観察すると、第一の領域（４）と第二の領域（５）が等色、かつ、第三の領域（３１）より濃く視認されて、印刷画像（３）の「幾何模様」中の「花の模様」から「蝶」の模様に切り替って観察された。
【０１１０】
（実施例３）
実施例３は、第２の実施の形態の変形例の構成で成る透過模様印刷物（１）であり、具体的には、図１７から図２３までに示す構成の透過模様印刷物（１）を実施例１、２と同様の方法、材料を用いて作製した。
【０１１１】
実施例３における反射模様（４０）は、図１９に示すとおり「花の模様」に対応した第１の情報部（４１）と、「花の模様」の背景に対応した第１の背景部（４２）を幅Ｗｊ＝５００μｍで帯状に分割した領域（ｊ）を間隔Ｐｊ＝１，２００μｍで配置した。
【０１１２】
また、透過模様（５０）は、図２０に示すとおり「蝶」の模様に対応した第２の情報部（５１）と、「蝶」の模様の背景に対応した第２の背景部（５２）を幅Ｗｋ＝５００μｍで帯状に分割した領域（ｋ）を間隔Ｐｋ＝１，２００μｍで、図２１に示すとおり、反射模様（４０）の帯状に分割した領域（ｊ）と重ならない位置に交互に配置した。
【０１１３】
花の模様に対応した第１の情報部（４１）は第１の画像要素（６）、花の模様の背景に対応した第１の背景部（４２）は第２の画像要素（７）及び第３の画像要素（１０）、蝶の模様に対応した第２の情報部（５１）は第４の画像要素（３２）、蝶の模様の背景に対応した第２の背景部（５２）は第２の画像要素（７）及び第３の画像要素（１０）で形成した。
【０１１４】
第１の画像要素（６）、第２の画像要素（７）及び第４の画像要素（３２）の幅、間隔については実施例２と同様の設計値とした。なお、第３の画像要素（１０）についてはベタ模様（画線面積率１００％）で形成した。
【０１１５】
以上のように作製した透過模様印刷物（１）を図１７（ａ）に示す反射光下で観察すると、反射模様（４０）の中の花の模様が濃く観察できた。更に図１７（ｂ）に示すように、透過光下で観察すると、透過模様（５０）の中の蝶の模様が淡く観察でき、反射模様（４０）の「花の模様」から透過模様（５０）の「蝶」の模様に切り替って観察された。
【０１１６】
（実施例４）
実施例４は、第３の実施の形態の構成で成る透過模様印刷物（１）であり、具体的には実施例３における第１の情報部（４１）、第１の背景部（４２）、第２の情報部（５１）及び第２の背景部（５２）を複数の色のインキを用いて形成した例である。なお、作製方法は、実施例３と同様であり、基材（２）には、色上質紙（坪量１０４ｇ／ｍ２、薄黄色ＣＩＥＬ＊９２、ａ＊３．５、ｂ＊１９、紙厚１４０μｍ）を用いた。なお、ＣＩＥ１９７６Ｌ＊、ａ＊、ｂ＊表示色とは、ＣＩＥ（国際照明委員会）が１９７６年に推奨した色空間のことであり、日本工業規格では、ＪＩＳＺ８７２９に規定されているものである。実施例３と異なる部分について以下に示す。
【０１１７】
花の模様に対応した第１の情報部（４１）は、第１のインキによる第１の画像要素（６）と第１Ａのインキによる第１Ａの画像要素（６’）とで形成し、花の模様の背景に対応した第１の背景部（４２）は、第１のインキによる第２の画像要素（７）と第１Ａのインキによる第２Ａの画像要素（７’）及び白色であって光遮断性のあるインキによる第３の画像要素（１０）で形成し、蝶の模様に対応した第２の情報部（５１）は、第１のインキによる第４の画像要素（３２）と第１Ａのインキによる第４Ａの画像要素（３２’）とで形成し、蝶の模様の背景に対応した第２の背景部（５２）は、第１のインキによる第２の画像要素（７）と第１Ａのインキによる第２Ａの画像要素（７’）及び白色であって光遮断性のあるインキによる第３の画像要素（１０）で形成した。なお、「花の模様」に対応した第１の情報部（４１）と、「花の模様」の背景に対応した第１の背景部（４２）を帯状に分割した領域（ｊ）及び「蝶」の模様に対応した第２の情報部（５１）と、「蝶」の模様の背景に対応した第２の背景部（５２）を帯状に分割した領域（ｋ）の構成は、実施例３と同様のため説明は省略する。
【０１１８】
第１の画像要素（６）は円形の画素で、設計値を大きさＷＡ１＝ＷＢ１＝１００μｍ、ピッチＰ１ａ＝Ｐ１ｂ＝１２７μｍ（２００線、画線面積率約５０％）、第１のインキとしてブラックを用いて形成した。
【０１１９】
第１Ａの画像要素（６’）は円形の画素で、設計値を大きさＷＡ１’＝ＷＢ１’＝１００μｍ、ピッチＰ１ａ’＝Ｐ１ｂ’＝１２７μｍ（２００線、画線面積率約５０％）、第１Ａのインキとしてシアンを用いて形成した。なお、配置角度は第１の画像要素（６）に対して時計回りに３０度回転させて配置した。
【０１２０】
第２の画像要素（７）は円形の画素で、設計値を大きさＷＡ２＝ＷＢ２＝９０μｍ、ピッチＰ２ａ＝Ｐ２ｂ＝１２７μｍ（２００線、画線面積率約４０％）、第１のインキ（ブラック）を用いて形成した。
【０１２１】
第２Ａの画像要素（７’）は円形の画素で、設計値を大きさＷＡ２’＝ＷＢ２’＝９０μｍ、ピッチＰ２ａ’＝Ｐ２ｂ’＝１２７μｍ（２００線、画線面積率約４０％）、第１Ａのインキ（シアン）を用いて形成した。なお、配置角度は第２の画像要素（７）に対して時計回りに３０度回転させて配置した。
【０１２２】
第３の画像要素（１０）は、酸化チタンを含む白色インキを用いてベタ模様（面積率１００％）で形成した。なお、基材（２）と基材（２）に白色インキをベタ印刷した部分との色差ΔＥは７であった。
【０１２３】
実施例４においても、反射光下で、第三の領域（３１）と第二の領域（５）を等色に形成するため、第４の画像要素（３２）は、酸化チタンを含む白色インキが重なる第２の画像要素（７）の面積率よりも低く形成する必要があり、第４Ａの画像要素（３２’）は、第２の画像要素（７’）の面積率よりも低く形成する必要がある。そのため、第４の画像要素（３２）は円形の画素で、設計値を大きさＷＡ４＝ＷＢ４＝６７μｍ、ピッチＰ４ａ＝Ｐ４ｂ＝１２７μｍ（２００線、画線面積率約２２％）、第１のインキ（ブラック）を用いて形成した。
【０１２４】
また、第４Ａの画像要素（３２’）は円形の画素で、設計値を大きさＷＡ４’＝ＷＢ４’＝６７μｍ、ピッチＰ４ａ’＝Ｐ４ｂ’＝１２７μｍ（２００線、画線面積率約２２％）、第１Ａのインキ（シアン）を用いて形成した。なお、配置角度は第４の画像要素（３２）に対して時計回りに３０度回転させて配置した。
【０１２５】
以上のように作製した透過模様印刷物（１）を図１７（ａ）に示す反射光下で観察すると、ブラックとシアンが混色した色味で反射模様（４０）の中の花の模様が濃く観察できた。更に図１７（ｂ）に示すように、透過光下で観察すると、透過模様（５０）の中の蝶の模様が淡く観察でき、反射模様（４０）の「花の模様」から透過模様（５０）の「蝶」の模様に切り替って観察された。
【符号の説明】
【０１２６】
１  透過模様印刷物
２  基材
３  印刷画像
４  第一の領域
５  第二の領域
６  第１の画像要素
６’  第１Ａの画像要素
７  第２の画像要素
７’  第２Ａの画像要素
８  第一の画像
９  第二の画像
１０  第３の画像要素
１０’  第３Ａの画像要素
１１  第三の画像
３１  第三の領域
３２  第４の画像要素
３２’  第４Ａの画像要素
３３  第四の画像
４０  反射模様
４１  第１の情報部
４２  第１の背景部
５０  透過模様
５１  第２の情報部
５２  第２の背景部
Ｅ１  反射観察者
Ｅ２  透過観察者
Ｌ１  反射光源
Ｌ２  透過光源
ＶＡ１  第１Ａの方向
ＶＡ２  第２Ａの方向
ＶＡ４  第４Ａの方向
ＶＢ１  第１Ｂの方向
ＶＢ２  第２Ｂの方向
ＶＡ４  第４Ｂの方向
ＷＡ１、ＷＡ２、ＷＡ３、ＷＡ４  画像要素の大きさ
ＷＢ１、ＷＢ２、ＷＢ３、ＷＢ４  画像要素の大きさ
ＷＡ１’、ＷＡ２’，ＷＡ４’，ＷＢ１’，ＷＢ２’ＷＢ４’  画像要素の大きさ
ＷＬ１、ＷＬ２、ＷＬ３  線幅
Ｐ１ａ、Ｐ２ａ、Ｐ４ａ、Ｐ１ｂ、Ｐ２ｂ、Ｐ４ｂ  画像要素のピッチ
Ｐ１ａ’、Ｐ２ａ’、Ｐ１ｂ’、Ｐ２ｂ’、Ｐ４ａ’、Ｐ４ｂ’  画像要素のピッチ
ｊ、ｋ  領域
【図１】
2019209495.tif 000003
【図２】
2019209495.tif 000004
【図３】
2019209495.tif 000005
【図４】
2019209495.tif 000006
【図５】
2019209495.tif 000007
【図６】
2019209495.tif 000008
【図７】
2019209495.tif 000009
【図８】
2019209495.tif 000010
【図９】
2019209495.tif 000011
【図１０】
2019209495.tif 000012
【図１１】
2019209495.tif 000013
【図１２】
2019209495.tif 000014
【図１３】
2019209495.tif 000015
【図１４】
2019209495.tif 000016
【図１５】
2019209495.tif 000017
【図１６】
2019209495.tif 000018
【図１７】
2019209495.tif 000019
【図１８】
2019209495.tif 000020
【図１９】
2019209495.tif 000021
【図２０】
2019209495.tif 000022
【図２１】
2019209495.tif 000023
【図２２】
2019209495.tif 000024
【図２３】
2019209495.tif 000025
【図２４】
2019209495.tif 000026
【図２５】
2019209495.tif 000027
【図２６】
2019209495.tif 000028
【図２７】
2019209495.tif 000029
【図２８】
2019209495.tif 000030
【図２９】
2019209495.tif 000031
【図３０】
2019209495.tif 000032
【図３１】
2019209495.tif 000033